(57)【要約】  本発明は、直交する方向に組立てられる家具の上板と柱部材とを連結する際に使用され、上板と柱部材とが嵌合方式に結合するようにして別途の締結手段が不要であり、必要に応じて、柱部材を容易に分離及び再結合可能なことはもちろん、家具の外観品質が向上されるようにした家具組立て用ブラケットに関し、家具の上板５１の底面に具備された垂直支持部材５２と柱部材５５とを連結する家具組立て用ブラケットにおいて、前記柱部材５５の外側に設置されるインナー部材１０と、前記柱部材５５が挿入されるように相互離隔した状態で、一定角度で配置された前記垂直支持部材５２に設置され、前記インナー部材１０が嵌合するアウター部材２０とからなることを特徴とする。【選択図】          図２
2018517880.tif 000002
【特許請求の範囲】
【請求項１】
家具の上板底面に直交する方向に設置される一対の垂直支持部材と柱部材とを連結する家具組立て用ブラケットにおいて、
前記柱部材の外側に設置されるインナー部材と、前記柱部材が挿入されるように相互離隔した状態で、一定角度で配置された前記垂直支持部材間に設置され、前記インナー部材が嵌合するアウター部材とからなることを特徴とする家具組立て用ブラケット。
【請求項２】
前記インナー部材は、一定角度で配置され、柱部材の隣接した二つの面にそれぞれ密着し、一つ以上のネジ孔が形成された一対の固定板と、中間部分が前記柱部材の角に接触し、前記固定板を互いに連結する中間板とからなり、
前記アウター部材は、前記垂直支持部材にネジくぎで結合するように一つ以上の貫通孔が具備された一対の固定板と、前記垂直支持部材に平行に配置され、前記固定板にそれぞれ連結する一対の連結板と、前記連結板を互いに連結する中間板とを含むことを特徴とする請求項１に記載の家具組立て用ブラケット。
【請求項３】
前記アウター部材は、前記上板にネジくぎで結合するように貫通孔が具備され、前記中間板または連結板の下端で折り曲げて形成された支片をさらに含むことを特徴とする請求項２に記載の家具組立て用ブラケット。
【請求項４】
前記インナー部材の固定板に上下方向の切開部が形成され、
前記アウター部材の連結板に形成され、前記固定板の切開部に嵌合する結合片が具備されることを特徴とする請求項２に記載の家具組立て用ブラケット。
【請求項５】
前記アウター部材は、固定板末端から突き出して前記垂直支持部材に挿入される複数の位置決め突起をさらに含むことを特徴とする請求項２に記載の家具組立て用ブラケット。
【請求項６】
前記インナー部材の固定板外側が挿入されるように前記アウター部材の固定板と連結板とが連結する部分に形成される一つ以上の嵌め片をさらに含み、
前記嵌め片は、前記固定板につながる延長部と、前記インナー部材の固定板外側が挿入されるように前記延長部の末端で折り曲げ形成される嵌め部とからなることを特徴とする請求項２に記載の家具組立て用ブラケット。
【請求項７】
前記インナー部材の固定板は、前記嵌め片に挿入されるように外側末端部が最上端突部を除いて相対的に厚さの薄い段突部で形成され、前記固定板の幅が下方へ行くほど減少することを特徴とする請求項６に記載の家具組立て用ブラケット。
【請求項８】
前記インナー部材とアウター部材とは、鍛造で成形され、
前記インナー部材は、一定角度で配置され、柱部材の隣接した二つの面にそれぞれ密着し、外面凹部に一つ以上のネジ孔が形成された一対の固定部と、中間部分が前記柱部材の角に接触され、前記固定部を互いに連結すると共に、一つ以上の貫通孔が形成された中間部と、前記固定部及び中間部の上面に具備され、角部分にネジ頭隠し孔が形成された突部とからなり、
前記アウター部材は、前記垂直支持部材にネジくぎで結合するように一つ以上の貫通孔が具備された一対の固定部と、前記垂直支持部材に平行に前記固定部につながる連結部と、上面に前記ネジ頭隠し孔に対応するネジ孔が形成され、前記貫通孔に対応する長孔状の貫通孔が形成されて、前記連結部をつなぐ中間部と、前記上板にネジくぎで結合するように長孔状の貫通孔が具備され、前記中間部または連結部の下端に連結する支片と、前記固定部から延長した後、折り曲げ形成されて前記インナー部材の固定部の外側が挿入される嵌め部とからなることを特徴とする請求項１に記載の家具組立て用ブラケット。
【請求項９】
前記インナー部材とアウター部材とは、鍛造で成形され、
前記インナー部材は、逆Ｌ字状の柱部材の内面にそれぞれ密着し、一つ以上のネジ孔が形成された一対の固定部と、平面形態を有し、前記固定部の角と向かい合う部分に位置し、中間に貫通孔が形成された中間面部と、前記固定部と中間面部とを連結し、四角の貫通孔が形成された連結部と、前記固定部と連結部及び中間面部の上部に配置され、前記中間面部の外側に突き出した角部分にネジ頭隠し孔が形成された蓋部とからなり、
前記アウター部材は、前記垂直支持部材にネジくぎで結合するように一つ以上の貫通孔が具備された一対の固定部と、前記垂直支持部材に平行に前記固定部につながる連結部と、上面に前記ネジ頭隠し孔に対応するネジ孔が形成され、前記貫通孔に対応する長孔状の貫通孔が形成されて前記連結部をつなぐ中間部と、前記上板にネジくぎで結合するように長孔状の貫通孔が具備され、前記中間部または連結部の下端に連結する支片と、前記固定部から延長した後、折り曲げ形成されて前記インナー部材の固定部外側が挿入される嵌め部とからなることを特徴とする請求項１に記載の家具組立て用ブラケット。
【請求項１０】
前記インナー部材は、前記アウター部材に結合する第１部材と、前記柱部材に設置され、前記第１部材の内側に結合する第２部材とに分割形成されることを特徴とする請求項１に記載の家具組立て用ブラケット。
【請求項１１】
前記第１部材は、一つ以上のネジ孔が形成された凹部を具備し、９０度角度で配置される一対の連結面と、背面に凹部が形成され、中間部分にネジ頭隠し孔が形成され、前記連結面をつなぐ第１中間面と、前記連結面及び第１中間面の下側から前方に突き出すように形成され、角部分に前記外側ブラケットの中間部に形成されたネジ孔に対応するネジ頭隠し孔が形成された突部とを含み、
前記第２部材は、平面形態を有し、一つ以上のネジ孔が具備され、９０度角度で連結する一対の固定部と、平面形態を有し、前記固定部の末端にそれぞれ９０度角度で連結され、四角の貫通孔が形成され、前記第１部材の連結面に密着する連結部と、前記固定部の角と向かい合う部分に位置し、前記第１部材のネジ頭隠し孔に対応する貫通孔が形成されると共に、前記第１中間面の背面に形成された凹部に挿入される第２中間面とを含むことを特徴とする請求項１０に記載の家具組立て用ブラケット。
【請求項１２】
前記外側ブラケットは、前記水平支持部材にネジくぎで結合するように一つ以上の貫通孔が具備された一対の固定部と、前記水平支持部材に平行に前記固定部につながる連結部と、上面に前記突部のネジ頭隠し孔に対応するネジ孔が形成され、前記第１中間面のネジ頭隠し孔に対応するネジ頭隠し孔が形成され、前記連結部をつなぐ中間部と、前記上板にネジくぎで結合するように長孔状の貫通孔が具備され、前記中間部または連結部の上端に連結する支片とを含むことを特徴とする請求項１１に記載の家具組立て用ブラケット。
【請求項１３】
前記内側ブラケットには、連結面の外側縁に垂直方向の突出部が形成され、前記外側ブラケットには、固定部から延長して前記突出部が挿入される嵌め部が形成されることを特徴とする請求項１２に記載の家具組立て用ブラケット。
【請求項１４】
少なくとも２個以上設置される柱部材と、
前記柱部材にそれぞれ設置される複数個のインナー部材と、
前記内側ブラケットが嵌合する複数個のアウター部材と、
を含むことを特徴とする組立て式家具。
【請求項１５】
一定間隔で離隔して配置される一対の前方側柱部材と、
前記前方側柱部材から一定間隔離隔すると共に、前記前方側柱部材と同一間隔で離隔して配置される後方側柱部材と、
前記前方側柱部材と後方側柱部材との間に配置され、固定される側面板と、
前記後方側柱部材間に配置され、固定される背面板と、
前記前方側柱部材と後方側柱部材とによって形成された内部空間に挿入して固定される複数個の上板と、
前記前方側柱部材と後方側柱部材とにそれぞれ設置される複数個の内側ブラケットと、
前記上板の底面に設置され、柱部材が挿入されるように相互離隔した状態で、一定角度で配置された水平支持部材に設置され、前記内側ブラケットが嵌合する複数個の外側ブラケットと、
を含むことを特徴とする組立て式家具。
【請求項１６】
少なくとも２個以上の柱部材にそれぞれ内側ブラケットを設置する段階と、
上板の底面に水平支持部材を設置し、前記水平支持部材間に外側ブラケットを設置する段階と、
一対の後方側柱部材を前記内側ブラケットが内側に位置するように一定間隔で配置すると共に、前記後方側柱部材から一定間隔で離隔した位置にそれぞれ前方側柱部材を前記内側ブラケットが内方に位置するように配置し、これらの柱部材によって形成された内部空間に上板を挿入した後、前記上板の外側ブラケットと柱部材の内側ブラケットとを結合させて前記上板を固定する段階と、
前記後方側柱部材間に背面板をスライド結合させる段階と、
前記後方側柱部材と前方側柱部材との間に側面板をスライド結合させる段階と、
を含むことを特徴とする組立て式家具の組立て方法。
【発明の詳細な説明】
【技術分野】
【０００１】
本発明は、直交する方向に組立てられる家具の上板と柱部材とを連結する際に使用されるブラケット、これを利用した組立て式家具及びその組立て方法に関し、特に、上板と柱部材とが嵌合方式で結合するようにして別途の締結手段が不要であり、使用者が必要に応じて柱部材を容易に分離及び再結合可能なことはもちろん、家具の外観品質が向上されるようにした家具組立て用ブラケット、これを利用した組立て式家具及びその組立て方法に関する。
【背景技術】
【０００２】
一般的に、机、テーブル、たんすや棚などの角部は、互いに直角をなす三つの支柱、即ち、一つの水平支柱と二つの垂直支柱の端部が互いに当接する部分を含んでいる。
【０００３】
上記の三つの支柱を結合させる方法としては、くぎなどの連結ピンを利用する方法、結合部位に結合突起及び凹溝を形成して組み合わせる方法、金属製支柱の場合の溶接接合方法、別途のブラケットを利用する方法などがあり、ブラケットと締結スクリューを用いて角部が組立てられるようにする方法は、他の方式に比べて各部材の分解及び組立てが容易になされる特性を有することにより、最近では、ブラケット固定方式が広く使用されている実情である。即ち、互いに直角状態で当接した両部材のコーナー部に略逆Ｌ字状のブラケットを付着させた後、このブラケットに締結スクリューを締結することで、角部またはコーナー部の支柱部材間の結合がなされるようにしている。
【０００４】
例えば、図１に示すように、家具上板１００の底面角に垂直支持部材１１０を一定間隔をおいて互いに直交するように配置すると共に、前記垂直支持部材１１０間にブラケット１５０を設置し、柱部材１２０に設置されたボルトなどの締結部材１４０が前記ブラケット１５０の孔を通じて突き出すようにすることで、前記締結部材１４０にナットを締結して柱部材１２０と垂直支持部材１１０とが互いに結合するようにしている。
【０００５】
しかし、上述した従来の家具組立て構造は、ブラケットを介して柱部材と垂直支持部材とが結合するようにするため、家具の分解及び組立てが不便なことはもちろん、使用者が直接組立てるか分離可能にするＤＩＹ（Ｄｏ  Ｉｔ  Ｙｏｕｒｓｅｌｆ）製品に適用し難いという問題点がある。
【０００６】
また、従来の家具組立て構造では、ブラケットが板状の金属体からなり、ブラケットが変形されることがあり、締結手段によってのみ互いに結合されて、柱部材とブラケットとの結合が堅固になされないため、柱部材が揺れて家具の安定性を損なうという問題点がある。
【０００７】
このような家具の組立て構造と関連した先行技術は、多数存在し、その中で一部を紹介すると、下記の通りである。
【０００８】
特許文献１は、たんす、棚、机、卓、食卓及び各種のテーブルなどの三つの支柱が互いに直角で結合する角部を有する家具の角支柱組立て構造の改善に関し、さらに詳しくは、一面には結合ピンが具備され、他面にはナット孔が形成された略逆Ｌ字状でなるブラケットと固定ピンを利用して、容易に角支柱間の堅固な組立て及び分解がなされるようにした、家具の角支柱組立て構造及びこれに使用される支柱組立て用ブラケットを記載している。
【０００９】
特許文献２は、直交する家具の内部でボルトを締めた後、ボルト胴体が組立てられる家具の内部に進入し、進入されたボルトと直交する方向でボルトの抜け防止のための固定ピンを結合させることで、外部に露出されないようにした、直交する家具組立てのための連結体を記載している。
【００１０】
特許文献３は、四角の板材を互いに垂直で組立てる時、雄板材が雌板材に堅固に組立てられた後、雄板材が揺れたり抜けたりしないようにした、組立て式木材家具の直角板材組立て構造を記載している。
【先行技術文献】
【特許文献】
【００１１】
【特許文献１】ＫＲ２０−２００１−０００２２４９  Ｕ
【特許文献２】ＫＲ２０−０３３１０３７  Ｙ１
【特許文献３】ＫＲ１０−１４８１７５１  Ｂ１
【発明の概要】
【発明が解決しようとする課題】
【００１２】
本発明は、上述した従来技術の問題点を解決するために案出されたもので、家具の上板と柱部材とを嵌合させて、別途の締結手段を使用せずとも上板に柱部材を堅固に結合させることができ、必要に応じて、使用者が上板と柱部材とを分離及び再組立てて使用可能にした家具組立て用ブラケット、これを利用した組立て式家具及びその組立て方法を提供することにその目的がある。
【００１３】
また、本発明は、上板の垂直支持部材と柱部材とが嵌合可能にすると共に、柱部材及び垂直支持部材に堅固に結合することができるインナー部材及びアウター部材の構造を提供することで、垂直支持部材と柱部材とが安定して結合するようにした家具組立て用ブラケット、これを利用した組立て式家具及びその組立て方法を提供することに目的がある。
【課題を解決するための手段】
【００１４】
本発明による家具組立て用ブラケットは、家具の上板底面に直交する方向に設置される一対の垂直支持部材と柱部材とを連結する家具組立て用ブラケットにおいて、前記柱部材の外側に設置されるインナー部材と、前記柱部材が挿入されるように相互離隔した状態で、一定角度で配置された前記垂直支持部材間に設置され、前記インナー部材が嵌合するアウター部材とからなることを特徴とする。
【００１５】
本発明の他の好ましい実施例によると、前記インナー部材は、一定角度で配置され、柱部材の隣接した二つの面にそれぞれ密着し、一つ以上のネジ孔が形成された一対の固定板と、中間部分が前記柱部材の角に接触し、前記固定板を互いに連結する中間板とからなり、前記アウター部材は、前記垂直支持部材にネジくぎで結合するように一つ以上の貫通孔が具備された一対の固定板と、前記垂直支持部材に平行に配置され、前記固定板にそれぞれ連結する一対の連結板と、前記連結板を互いに連結する中間板とを含む。
【００１６】
本発明の他の好ましい実施例によると、前記アウター部材は、前記上板にネジくぎで結合するように貫通孔が具備され、前記中間板または連結板の下端で折り曲げて形成された支片をさらに含む。
【００１７】
本発明の他の好ましい実施例によると、前記インナー部材の固定板に上下方向の切開部が形成され、前記アウター部材の連結板に形成され、前記固定板の切開部に嵌合する結合片が具備される。
【００１８】
本発明の他の好ましい実施例によると、前記アウター部材は、固定板末端から突き出して前記垂直支持部材に挿入される複数の位置決め突起をさらに含む。
【００１９】
本発明の他の好ましい実施例によると、前記インナー部材の固定板外側が挿入されるように前記アウター部材の固定板と連結板とが連結する部分に形成される一つ以上の嵌め片をさらに含み、前記嵌め片は、前記固定板につながる延長部と、前記インナー部材の固定板外側が挿入されるように前記延長部の末端で折り曲げ形成される嵌め部とからなる。
【００２０】
本発明の他の好ましい実施例によると、前記インナー部材の固定板は、前記嵌め片に挿入されるように外側末端部が最上端突部を除いて相対的に厚さの薄い段突部で形成され、前記固定板の幅が下方へ行くほど減少する。
【００２１】
本発明の他の好ましい実施例によると、前記インナー部材とアウター部材とは、鍛造で成形され、前記インナー部材は、一定角度で配置され、柱部材の隣接した二つの面にそれぞれ密着し、外面凹部に一つ以上のネジ孔が形成された一対の固定部と、中間部分が前記柱部材の角に接触され、前記固定部を互いに連結すると共に、一つ以上の貫通孔が形成された中間部と、前記固定部及び中間部の上面に具備され、角部分にネジ頭隠し孔が形成された突部とからなり、前記アウター部材は、前記垂直支持部材にネジくぎで結合するように一つ以上の貫通孔が具備された一対の固定部と、前記垂直支持部材に平行に前記固定部につながる連結部と、上面に前記ネジ頭隠し孔に対応するネジ孔が形成され、前記貫通孔に対応する長孔状の貫通孔が形成されて、前記連結部をつなぐ中間部と、前記上板にネジくぎで結合するように長孔状の貫通孔が具備され、前記中間部または連結部の下端に連結する支片と、前記固定部から延長した後、折り曲げ形成されて前記インナー部材の固定部の外側が挿入される嵌め部とからなる。
【００２２】
本発明の他の好ましい実施例によると、前記インナー部材とアウター部材とは、鍛造で成形され、前記インナー部材は、逆Ｌ字状の柱部材の内面にそれぞれ密着し、一つ以上のネジ孔が形成された一対の固定部と、平面形態を有し、前記固定部の角と向かい合う部分に位置し、中間に貫通孔が形成された中間面部と、前記固定部と中間面部とを連結し、四角の貫通孔が形成された連結部と、前記固定部と連結部及び中間面部の上部に配置され、前記中間面部の外側に突き出した角部分にネジ頭隠し孔が形成された蓋部とからなり、前記アウター部材は、前記垂直支持部材にネジくぎで結合するように一つ以上の貫通孔が具備された一対の固定部と、前記垂直支持部材に平行に前記固定部につながる連結部と、上面に前記ネジ頭隠し孔に対応するネジ孔が形成され、前記貫通孔に対応する長孔状の貫通孔が形成されて前記連結部をつなぐ中間部と、前記上板にネジくぎで結合するように長孔状の貫通孔が具備され、前記中間部または連結部の下端に連結する支片と、前記固定部から延長した後、折り曲げ形成されて前記インナー部材の固定部外側が挿入される嵌め部とからなる。
【００２３】
本発明の他の好ましい実施例によると、前記インナー部材は、前記アウター部材に結合する第１部材と、前記柱部材に設置され、前記第１部材の内側に結合する第２部材とに分割形成される。
【００２４】
本発明の他の好ましい実施例によると、前記第１部材は、一つ以上のネジ孔が形成された凹部を具備し、９０度角度で配置される一対の連結面と、背面に凹部が形成され、中間部分にネジ頭隠し孔が形成され、前記連結面をつなぐ第１中間面と、前記連結面及び第１中間面の下側から前方に突き出すように形成され、角部分に前記外側ブラケットの中間部に形成されたネジ孔に対応するネジ頭隠し孔が形成された突部とを含み、前記第２部材は、平面形態を有し、一つ以上のネジ孔が具備され、９０度角度で連結する一対の固定部と、平面形態を有し、前記固定部の末端にそれぞれ９０度角度で連結され、四角の貫通孔が形成され、前記第１部材の連結面に密着する連結部と、前記固定部の角と向かい合う部分に位置し、前記第１部材のネジ頭隠し孔に対応する貫通孔が形成されると共に、前記第１中間面の背面に形成された凹部に挿入される第２中間面とを含む。
【００２５】
本発明の他の好ましい実施例によると、前記外側ブラケットは、前記水平支持部材にネジくぎで結合するように一つ以上の貫通孔が具備された一対の固定部と、前記水平支持部材に平行に前記固定部につながる連結部と、上面に前記突部のネジ頭隠し孔に対応するネジ孔が形成され、前記第１中間面のネジ頭隠し孔に対応するネジ頭隠し孔が形成され、前記連結部をつなぐ中間部と、前記上板にネジくぎで結合するように長孔状の貫通孔が具備され、前記中間部または連結部の上端に連結する支片とを含む。
【００２６】
本発明による組立て式家具は、少なくとも２個以上設置される柱部材と、前記柱部材にそれぞれ設置される複数個のインナー部材と、前記内側ブラケットが嵌合する複数個のアウター部材とを含むことを特徴とする。
【００２７】
本発明の他の好ましい実施例によると、一定間隔で離隔して配置される一対の前方側柱部材と、前記前方側柱部材から一定間隔離隔すると共に、前記前方側柱部材と同一間隔で離隔して配置される後方側柱部材と、前記前方側柱部材と後方側柱部材との間に配置され、固定される側面板と、前記後方側柱部材間に配置され、固定される背面板と、前記前方側柱部材と後方側柱部材とによって形成された内部空間に挿入して固定される複数個の上板と、前記前方側柱部材と後方側柱部材とにそれぞれ設置される複数個の内側ブラケットと、前記上板の底面に設置され、柱部材が挿入されるように相互離隔した状態で、一定角度で配置された水平支持部材に設置され、前記内側ブラケットが嵌合する複数個の外側ブラケットとを含む。
【００２８】
本発明による組立て式家具の組立て方法は、少なくとも２個以上の柱部材にそれぞれ内側ブラケットを設置する段階と、上板の底面に水平支持部材を設置し、前記水平支持部材間に外側ブラケットを設置する段階と、一対の後方側柱部材を前記内側ブラケットが内側に位置するように一定間隔で配置すると共に、前記後方側柱部材から一定間隔で離隔した位置にそれぞれ前方側柱部材を前記内側ブラケットが内方に位置するように配置し、これらの柱部材によって形成された内部空間に上板を挿入した後、前記上板の外側ブラケットと柱部材の内側ブラケットとを結合させて前記上板を固定する段階と、前記後方側柱部材間に背面板をスライド結合させる段階と、前記後方側柱部材と前方側柱部材との間に側面板をスライド結合させる段階とを含むことを特徴とする。
【発明の効果】
【００２９】
本発明の家具組立て用ブラケットは、上板の垂直支持部材にアウター部材が設置され、柱部材にインナー部材が設置されると共に、インナー部材がアウター部材に嵌合して柱部材と垂直支持部材とを結合させるため、使用者が柱部材を分離するか再組立てることが容易で、ＤＩＹ製品に適用可能であり、別途の締結手段を利用することなく柱部材を上板に組立てることができ、使用が便利であり、全体的な外観に優れて家具の品質の向上されるという効果がある。
【００３０】
また、本発明の家具組立て用ブラケットによると、インナー部材が柱部材に堅固に結合され、アウター部材が上板の垂直支持部材に堅固に結合された状態で、インナー部材がアウター部材に嵌合するため、上板の垂直支持部材と柱部材との間の結合力に優れ、柱部材が揺れなくなるという効果がある。
【００３１】
また、本発明の家具組立て用ブラケットによると、インナー部材の構造変更を通じて、通常の四角形の柱部材の代わりに逆Ｌ字状の柱部材にも適用することができるという効果がある。
【００３２】
また、本発明の家具組立て用ブラケットは、食卓足、棚などの多様な家具に使用されることができる。
【００３３】
本発明の組立て式家具及びその組立て方法は、柱部材にインナー部材を結合させ、垂直板材にアウター部材を結合させた状態で販売して、使用者が直接組立てることができ、販売及び移送が容易であり、使用者の満足感が向上されるという効果がある。
【図面の簡単な説明】
【００３４】
【図１】従来の家具組立て用ブラケットが示された参考図である。
【図２】本発明による家具組立て用ブラケットが示された構成図である。
【図３】本発明の家具組立て用ブラケットの分解斜視図である。
【図４】本発明の家具組立て用ブラケットの背面分解斜視図である。
【図５】本発明の家具組立て用ブラケットの第２実施例が示された斜視図である。
【図６】本発明の家具組立て用ブラケットの第３実施例が示された斜視図である。
【図７】本発明の家具組立て用ブラケットの第４実施例が示された斜視図である。
【図８】本発明の家具組立て用ブラケットの第５実施例が示された斜視図である。
【図９】本発明の家具組立て用ブラケットの第６実施例が示された斜視図である。
【図１０】本発明の家具組立て用ブラケットの第７実施例が示された斜視図である。
【図１１】本発明の家具組立て用ブラケットの第７実施例の背面斜視図である。
【図１２】第７実施例を利用した家具組立て様子を示す参考図である。
【図１３】第８実施例の内側ブラケットと外側ブラケットとの分解斜視図である。
【図１４】第８実施例の内側ブラケットと柱部材との多様な結合形態を示す参考図である。
【図１５】第９実施例の内側ブラケットと外側ブラケットとの分解斜視図である。
【図１６】第９実施例の内側ブラケットと外側ブラケットとの他面分解斜視図である。
【図１７】第１０実施例の内側ブラケットと外側ブラケットとの分解斜視図である。
【図１８】第１０実施例の第２部材の他面斜視図である。
【図１９】本発明による組立て式家具の構成図である。
【図２０】本発明の内側ブラケットと外側ブラケットとの結合部を示す斜視図である。
【図２１】本発明の組立て式家具の組立て方法を示すフローチャートである。
【発明を実施するための形態】
【００３５】
以下、添付の図面を参照して、本発明の家具組立て用ブラケットについて説明すると、以下の通りである。
【００３６】
本発明による家具組立て用ブラケットは、図２〜４に示すように、家具の上板５１の底面に直交する方向に設置される一対の垂直支持部材５２と柱部材５５とを連結する家具組立て用ブラケットにおいて、前記柱部材５５の外側に設置されるインナー部材１０と、前記柱部材５５が挿入されるように相互離隔した状態で、一定角度で配置された前記垂直支持部材５２に設置され、前記インナー部材１０が嵌合するアウター部材２０とからなる。
【００３７】
前記インナー部材１０は、一定角度で配置され、柱部材５５の隣接した二つの面にそれぞれ密着し、外面凹部１１’に一つ以上のネジ孔１１”が形成された一対の固定板１１と、中間部分が前記柱部材５５の角に接触し、前記固定板１１に比べて薄い厚さで形成され、前記固定板１１を互いに連結する中間板１３とからなる。
【００３８】
前記固定板１１に外面凹部１１’を形成する理由は、前記固定板１１を結合させるためのネジくぎの頭が固定板１１の外側に突き出さないようにするためである。これにより、前記柱部材５５に結合されたインナー部材１０が上板５１側のアウター部材２０に嵌合する時、前記固定板１１の外側に突き出したネジくぎによるアウター部材２０との干渉が発生しなくなる。
【００３９】
そして、前記アウター部材２０は、前記垂直支持部材５２にネジくぎで結合するように一つ以上の貫通孔２１’が具備された一対の固定板２１と、前記垂直支持部材５２に平行に配置され、前記固定板２１にそれぞれ連結する一対の連結板２３と、前記連結板２３を互いに連結する中間板２５と、前記上板５１にネジくぎで結合するように貫通孔２７’が具備され、前記中間板２５または連結板２３の下端で折り曲げて形成された支片２７とを含む。従って、前記支片２７は、前記中間板２５と連結板２３とのいずれか一側のみに形成されてもよく、前記中間板２５と連結板２３との両方に形成されてもよい。
【００４０】
前記アウター部材２０の中間板２５と前記インナー部材１０の中間板１３とにジョイントピン（図示省略）や締結ネジが挿入される孔２５’、１３’が一つ以上形成されることが好ましい。これは、前記インナー部材１０とアウター部材２０とを結合させるか、前記インナー部材１０とアウター部材２０及び柱部材５５を一体で結合させるためのもので、前記アウター部材２０の中間板２５に形成される孔２５’は、長孔状で形成することがさらに好ましい。
【００４１】
そして、前記アウター部材２０の中間板２５の背面上側または背面下側に結合突起２８’が形成されると共に、前記結合突起２８’周辺の三面が切開されて弾性結合部２８を形成し、前記インナー部材１０の中間板１３には、前記結合突起２８’が挿入される水平方向の結合孔１３”が形成されるようにしてもよい。
【００４２】
これにより、前記アウター部材２０にインナー部材１０が結合する時、前記弾性結合部２８の背面に形成された結合突起２８’が前記インナー部材１０の中間板１３に形成された結合孔１３”に弾性結合され、前記インナー部材１０がこれ以上動かないようにすることで、ジョイントピンを正確に結合させることができる。
【００４３】
一方、前記アウター部材２０は、固定板２１の末端から突き出して前記垂直支持部材５２に挿入される複数の位置決め突起２１”をさらに含むことができる。これは、前記支持部材５２にアウター部材２０を設置する時に、正確な位置に設置されるようにするためである。
【００４４】
この時、前記位置決め突起２１”は、その末端が尖がって形成されることが好ましい。これは、前記垂直支持部材５２に固定板２１を付着する時、前記位置決め突起２１”が挿入される孔位置を容易に設定するためである。つまり、前記垂直支持部材５２に前記位置決め突起２１”を押し付けることで、孔位置を表示して、ドリルなどの穿孔道具で孔があけられるようにするものである。
【００４５】
そして、前記インナー部材１０の固定板１１の外側が挿入されるように、前記アウター部材２０の固定板２１と連結板２３とが連結する部分に嵌め片２４が形成され、前記インナー部材１０の固定板１１は、前記嵌め片２４に挿入されるように、外側末端部が最上端突部１１ａを除いて相対的に厚さの薄い段突部１１ｂで形成されることが好ましい。この時、前記固定板１１は、下方へ行くほど幅が減少するように構成することがさらに好ましく、これは、前記嵌め片２４に前記段突部１１ｂが容易に挿入されるようにするためである。
【００４６】
前記嵌め片２４は、金型などによって前記連結板２３と一体で形成されることができる。そして、前記連結板２３が板材からなる場合は、前記連結板２３の一部が切開されて前記嵌め片２４が形成されることもできる。この時、前記嵌め片２４は、前記固定板２１につながる延長部２４ａと、前記インナー部材１０の固定板１１の外側が挿入されるように前記延長部２４ａの末端で折り曲げ形成される嵌め部２４ｂとからなる。そして、前記段突部１１ｂは、上側の上突部１１ｂ１と下側の下突部１１ｂ２とに分割形成することもできる。この場合、前記下突部１１ｂ２は、上突部１１ｂ１より薄い厚さで形成することがさらに好ましい。
【００４７】
上述した本発明の家具組立て用ブラケットは、多様に変形して実施することができ、このような多様な実施例が図５に示されている。
【００４８】
例えば、図５に示すように、前記インナー部材１０の固定板１１に上下方向の切開部１１ｃが形成され、前記アウター部材２０の連結板２３に形成され、前記固定板１１の切開部１１ｃに嵌合する結合片２３’が具備されることができる。
【００４９】
そして、前記アウター部材２０は、延長板２３が連結する固定板２１の末端の上側または下側から延長形成されて、前記インナー部材１０の離脱を防止する複数の離脱防止片２２をさらに具備することができる。
【００５０】
そして、図６には、中間板１３の中間部分にジョイントピンが挿入される孔１３’が形成され、その下側に結合孔１３”が形成されるインナー部材１０と、中間板２５の中間部分に長孔状の孔２５’が形成され、前記インナー部材１０の結合孔１３”に対応する位置に弾性結合部２８が形成されると共に、連結板２３の一側に嵌め片２４が具備され、固定板２１には位置決め突起２８が形成されるアウター部材２０とからなる家具組立て用ブラケットが示されている。
【００５１】
この時、前記インナー部材１０の中間板１３に形成される結合孔１３”及び前記アウター部材２０の中間板２５に形成される弾性結合部２８は、図７に示すように、それぞれの中央に形成された孔１３’、２５’の上側に形成されることもできる。即ち、前記結合孔１３”と弾性結合部２８の背面に形成される結合突起２８’とからなる弾性結合構造の設置位置は、制限されない。
【００５２】
以上で説明した様々な実施例は、インナー部材１０とアウター部材２０とが板材で形成されることについて説明したが、以下では、鍛造工法を通じてインナー部材６０とアウター部材７０とを形成することもできる。
【００５３】
図８に示すように、前記インナー部材６０は、一定角度で配置され、柱部材５５の隣接した二つの面にそれぞれ密着し、外面凹部６１’に一つ以上のネジ孔６１”が形成された一対の固定部６１と、中間部分が前記柱部材５５の角に接触し、前記固定部６１を互いに連結すると共に、一つ以上の貫通孔６３’が形成された中間部６３と、前記固定部６１及び中間部６３の上面に具備され、角部分にネジ頭隠し孔６５’が形成された突部６５とからなる。
【００５４】
そして、前記アウター部材７０は、前記垂直支持部材５２にネジくぎで結合するように一つ以上の貫通孔７１’が具備された一対の固定部７１と、前記垂直支持部材５２に平行に前記固定部７１につながる連結部７３と、上面に前記ネジ頭隠し孔６５’に対応するネジ孔７５’が形成され、前記貫通孔６３’に対応する長孔状の貫通孔７５”が形成され、前記連結部７３をつなぐ中間部７５と、前記上板５１にネジくぎで結合するように長孔状の貫通孔７７’が具備され、前記中間部７５または連結部７３の下端に連結する支片７７と、前記固定部７１から延長した後、折り曲げ形成されて前記インナー部材６０の固定部６１の外側が挿入される嵌め部７９とからなる。
【００５５】
この時、図９のように、前記インナー部材６０及びアウター部材７０の高さを低く形成すると共に、前記アウター部材７０の固定部７１を高さに比べて長く形成し、前記固定部７１に形成された貫通孔７１’の一部を固定部７１の長さ方向に伸びた形態の長空７１”で形成することもできる。
【００５６】
これにより、板材を曲げて形成せず、鍛造を通じて製造したインナー部材６０及びアウター部材７０を利用して柱部材５５と上板５１とを結合させることができ、強度に優れた鍛造製品の特徴を利用して、柱部材５５と上板５１とを堅固に結合させることができる。
【００５７】
一方、以上では、四角形柱部材５５を垂直支持部材５２に結合可能なブラケットについて説明したが、鍛造形成されたブラケットを利用することで、四角形柱部材５５の代わりに逆Ｌ字状の柱部材５５’を垂直支持部材５２に結合させることもできる。
【００５８】
この場合、前記インナー部材６０は、図１０〜１２に示すように、逆Ｌ字状の柱部材５５’の内面にそれぞれ密着し、一つ以上のネジ孔６２’が形成された一対の固定部６２と、平面形態を有し、前記固定部６２の角と向かい合う部分に位置し、中間に貫通孔６６’が形成された中間面部６６と、前記固定部６２と中間面部６６とを連結し、四角の貫通孔６４’が形成された連結部６４と、前記固定部６２と連結部６４及び中間面部６６の上部に配置され、前記中間面部６６の外側に突き出した角部分にネジ頭隠し孔６７’が形成された蓋部６７とからなる。
【００５９】
そして、前記アウター部材７０は、前記垂直支持部材５２にネジくぎで結合するように一つ以上の貫通孔７１’が具備された一対の固定部７１と、前記垂直支持部材５２に平行に前記固定部７１につながる連結部７３と、上面に前記ネジ頭隠し孔６７’に対応するネジ孔７５ａが形成され、前記貫通孔６６’に対応する長孔状の貫通孔７５ｂが形成され、前記連結部７３をつなぐ中間部７５と、前記上板５１にネジくぎで結合するように長孔状の貫通孔７７’が具備され、前記中間部７５または連結部７３の下端に連結する支片７７と、前記固定部７１から延長した後、折り曲げ形成されて前記インナー部材６０の固定部６１の外側が挿入される嵌め部７９とからなる。
【００６０】
この時、前記アウター部材７０の固定部７１を高さに比べて長く形成し、前記固定部７１に形成された貫通孔７１’の一部を固定部７１の長さ方向に伸びた形態の長空７１”で形成することがさらに好ましい。
【００６１】
これにより、通常の四角形柱部材５５の代わりに、接触面積の広い逆Ｌ字状の柱部材５５’についても適用可能である。
【００６２】
一方、図１０〜１１のインナー部材２１０は、鍛造で成形し易くないため、図１３のように、インナー部材２１０を分割して成形した後、互いに組立てる方式を適用することもできる。
【００６３】
ここで、前記インナー部材２１０は、前記アウター部材２２０に結合する第１部材２１０ａと、前記柱部材に設置され、前記第１部材２１０ａの内側に結合する第２部材２１０ｂとに分割形成されることが好ましい。
【００６４】
さらに具体的にみると、前記第１部材２１０ａは、一つ以上のネジ孔２１１”が形成された凹部２１１’を具備し、９０度角度で配置される一対の連結面２１１と、背面に凹部２１３’が形成され、中間部分にネジ頭隠し孔２１３”が形成され、前記連結面２１１をつなぐ第１中間面２１３と、前記連結面２１１及び第１中間面２１３の下側から前方に突き出すように形成され、角部分に前記アウター部材２２０の中間部に形成されたネジ孔２２５ａに対応するネジ頭隠し孔２１５’が形成された突部２１５と、前記連結面２１１の外側縁で突出形成される垂直方向の突出部２１７とを含んでなる。
【００６５】
前記第２部材２１０ｂは、平面形態を有し、一つ以上のネジ孔２１２’が具備され、９０度角度で連結する一対の固定部２１２と、平面形態を有し、前記固定部２１２の末端にそれぞれ９０度角度で連結され、四角の貫通孔２１４’が形成され、前記第１部材２１０ａの連結面２１１に密着する連結部２１４と、前記固定部２１２の角と向かい合う部分に位置し、前記第１部材２１０ａのネジ頭隠し孔２１３”に対応する貫通孔２１６’が形成されると共に、前記第１中間面２１３の背面に形成された凹部２１３’に挿入される第２中間面２１６とを含んでなる。
【００６６】
そして、前記アウター部材２２０は、垂直支持部材５２にネジくぎで結合するように一つ以上の貫通孔２２１’と長空２２１”とが具備された一対の固定部２２１と、前記垂直支持部材５２に平行に前記固定部２２１につながる連結部２２３と、上面に前記突部２１５のネジ頭隠し孔２１５’に対応するネジ孔２２５ａが形成され、前記第１中間面２１３のネジ頭隠し孔２１３”に対応するネジ頭隠し孔２２５ｂが形成され、前記連結部２２３をつなぐ中間部２２５と、前記上板５１にネジくぎで結合するように長孔状の貫通孔２２７’が具備され、前記中間部２２５または連結部２２３の上端に連結する支片２２７と、前記固定部２２１から延長して前記インナー部材の突出部２１７が挿入される嵌め部２２９とを含んでなる。
【００６７】
この時、前記インナー部材２１０の第１中間面２１３の外側面には、一つ以上の位置決め突起２１９が形成され、前記アウター部材２２０の中間部２２５の内側面には、前記位置決め突起２１９が挿入される位置決め溝２２６が形成されることが好ましい。前記位置決め突起２１９と位置決め溝２２６とは、前記インナー部材２１０とアウター部材２２０とが正確な位置で結合可能にするもので、前記アウター部材２２０の中間部２２５の内側面に位置決め突起が形成され、前記インナー部材２１０の第１中間面２１３の外側面に位置決め溝が形成されても構わない。
【００６８】
そして、前記インナー部材２１０は、図１４のように、逆Ｌ字状の柱部材５５’の内側角に挿入設置されても、一字状の柱部材５５の一面または角に設置されてもよい。
【００６９】
前記インナー部材２１０を逆Ｌ字状の柱部材５５’の内側角または一字状の柱部材５５の一面に設置する場合は、図１４の（ａ）と（ｂ）に示すように、逆Ｌ字状の柱部材５５’の内側角両面または前記一字状の柱部材５５の一面に第２部材２１０ｂの固定部２１２が密着するように第２部材２１０ｂを位置させた後、前記第２部材２１０ｂの第２中間面２１６が前記第１部材２１０ａの第１中間面２１３の背面に形成された凹部２１３’に挿入されるようにした状態で、前記第１部材２１０ａの連結面２１１に形成されたネジ孔２１１’と前記第２部材２１０ｂの固定部２１２に形成されたネジ孔２１２’とを同時に貫通するようにネジくぎを締結して、前記第１部材２１０ａと第２部材２１０ｂとからなるインナー部材２１０を固定する。
【００７０】
そして、前記インナー部材２１０を一字状の柱部材５５の角に設置する場合は、図１４の（ｃ）に示すように、一字状の柱部材５５の角両側面に前記第１部材２１０ａの両側連結面２１１が密着するように第１部材２１０ａを配置した後、前記第１部材２１０ａの連結面２１１にそれぞれ形成されたネジ孔２１１’にネジくぎを締結してインナー部材２１０を固定する。この場合は、第２部材は使用しない。
【００７１】
また、他の実施例としての図１５のブラケットも、アウター部材３２０と、インナー部材３１０とを含み、インナー部材３１０は、第１部材３１０ａと第２部材３２０ｂとを含む。この場合も、図１４（ｃ）のように、第１部材だけでインナー部材として使用することができるため、第１部材のみ使用される場合について先に説明する。
【００７２】
前記インナー部材３１０の第１部材３１０ａは、連結面３１１、第１中間面３１３及び突部３１５を含む。
【００７３】
先ず、前記連結面３１１は、９０度角度で配置される一対で形成される。
【００７４】
また、それぞれの連結面３１１には、一つ以上のネジ孔３１１”が形成された凹部３１１’が形成されるため、不要な原資材の無駄遣いを防ぎ、重さを軽量化することができる。
【００７５】
また、上記それぞれの連結面３１１の外側縁には、垂直方向の突出部３１７が形成される。
【００７６】
図１６を参照して説明すると、上記それぞれの突出部３１７は、内側に向かって下向き傾斜する形態で形成されるが、上端と下端は垂直方向に形成されることもでき、上端から下端まで全体が垂直方向に形成されることもでき、上端から下端まで全体が下向き傾斜する形態で形成されることもできる。
【００７７】
前記突出部３１７は、前記インナー部材３１０の第１部材３１０ａとアウター部材３２０とを結合させる役割をし、これは、アウター部材３２０と共に説明する。
【００７８】
次に、第１中間面３１３は、前記連結面３１１をつなぐ役割をする。
【００７９】
また、前記第１中間面３１３の背面にも凹部３１３’が形成され、中間部分に少なくとも一つ以上のネジ孔３１３”が形成される。
【００８０】
さらに詳しく図１５を参照して説明すると、前記第１中間面３１３の中央に形成されたネジ孔３１３”は、アウター部材３２０とネジ結合するように形成されるものであり、第１中間面３１３の中央に形成されたネジ孔３１３”の上下に形成されたまた他のネジ孔３１３”には、頭隠し溝３１３””がさらに形成されることもできる。
【００８１】
前記第１中間面３１３の背面に形成された凹部３１３’は、前記連結面３１１に形成された凹部３１１’と同一の効果を有する。
【００８２】
次に、前記突部３１５は、前記連結面３１１及び第１中間面３１３の上部から前方に突出形成される。
【００８３】
また、中央角部分には、前記アウター部材３２０とネジ結合するように部分ネジ溝３１５’が形成される。
【００８４】
前記部分ネジ溝３１５’は、図１５に示すように、雄ネジが結合する雌ネジを垂直に切った断面状のように形成されるため、前記アウター部材３２０とインナー部材３１０の第１部材３１０ａを結合した状態のみでネジを結合することができ、アウター部材３２０とインナー部材３１０の第１部材３１０ａの結合度を上昇させるという効果がある。
【００８５】
また、前記連結面３１１の上部に前方に突出形成される突部３１５には、少なくとも一つ以上下部に開放された分離溝３１８が形成されることもできる。
【００８６】
前記分離溝３１８は、前記アウター部材３２０とインナー部材３１０の第１部材３１０ａが結合された状態で分離しようとする時、一字ドライバーのような端部が尖った工具を軽く嵌めて遊隔を形成した後、容易に前記アウター部材３２０とインナー部材３１０の第１部材３１０ａを分離させる役割をする。
【００８７】
次に、アウター部材３２０は、固定部３２１、連結部３２３、中間部３２５及び支片３２７を含む。
【００８８】
先ず、前記固定部３２１は、前記垂直支持部材５２に接した状態で固定されるように垂直支持部材５２の角度に対応する形態で一対が形成される。
【００８９】
さらに詳しく説明すると、前記固定部３２１には、少なくとも一つ以上の貫通孔３２１’が具備され、前記垂直支持部材５２とネジ結合して固定される。
【００９０】
次に、前記連結部３２３は、前記垂直支持部材５２に平行に前記固定部３２１につながるフレーム状で形成される。
【００９１】
前記連結部３２３がフレーム状で形成されるため、不要な原資材の無駄遣いが減り、重さが軽量化されるという効果があり、それぞれの凹部３１１’にネジ結合が容易になる。
【００９２】
また、前記連結部３２３には、前記突部３１５の分離溝３１８に対応する位置に分離部３２８が形成されることもできる。
【００９３】
前記分離部３２８の使用実施例は、前記分離溝３１８と同一であるので、詳しい説明は省略する。
【００９４】
一方、次に前記両側の連結部３２３をつなぐように中間部３２５が形成される。
【００９５】
前記中間部３２５の上面には、前記突部３１５の部分ネジ溝３１５’に対応する切開ネジ溝３２５ａが形成され、前記第１中間面３１３のネジ孔３１３”に対応する中央ネジ溝３２５ｂが形成される。
【００９６】
また、前記中間部３２５の下部には、上板５１とネジ結合可能に下部ネジ溝３２５ｃがさらに形成されることができる。
【００９７】
先ず、前記切開ネジ溝３２５ａは、前記突部３１５の部分ネジ溝３１５’に対応するもので、前記アウター部材３２０にインナー部材３１０を挿入すると、前記切開ネジ溝３２５ａと部分ネジ溝３１５’が完全な雌ネジ形態で形成されるため、この状態でネジを挿入して固定することができる。
【００９８】
また、前記中央ネジ溝３２５ｂは、第１中間面３１３に形成されるネジ孔３１３”に対応する位置に形成されるため、中央ネジ溝３２５ｂにネジを挿入して、前記アウター部材３２０とインナー部材３１０との結合状態をさらに強固にする役割をする。
【００９９】
また、中間部３２５の下部に下部ネジ溝３２５ｃが形成されるため、上板５１とネジ結合する。
【０１００】
一方、前記上板５１にネジ結合するように支片３２７が形成される。
【０１０１】
前記支片３２７は、前記固定部３２１または連結部３２３の上端に連結され、長孔状の貫通孔３２７’が具備され、ネジを挿入して上板５１の底面に固く着することができる。
【０１０２】
また、前記アウター部材３２０は、前記インナー部材３１０の突出部３１７が挿入されることができるように、嵌め部３２９が固定部３２１から延長して形成されることができる。
【０１０３】
前記嵌め部３２９は、それぞれの突出部３１７に対応する形態で形成されて、前記突出部３１７と結合する。
【０１０４】
一方、前記嵌め部３２９は、前記固定部３２１から直角方向に形成されるため、従来一般的に使用される金型では製作し難いという問題点があった。
【０１０５】
例えば、全体的な形態がＷ字で形成されるアウター部材３２０を製作するために、上下でＷ字状の凹溝と凹凸状の金型で作り出すとしても、前記固定部３２１から下部にさらに延長して互いに向かい合う形態で折り曲げされる嵌め部３２９を形成するためには、その形態に対応するスライド金型で再度成形しなければならないため、一般的なブラケットを生産する時より金型のサイズがさらに大きくなり、時間と工程がさらに多く消耗される。
【０１０６】
しかし、前記嵌め部３２９を製作する時は、上述したように、連結部２３がフレーム状で形成されるため、小さい金型で作り出すことができる形態が可能となる。
【０１０７】
このように嵌め部３２９が製作されるため、時間と金型のサイズ及び原資材の無駄遣いを減らして、アウター部材３２０の製作が容易になる。
【０１０８】
次に、追加で設置可能な第２部材３２０ｂを利用した他の実施例としてのブラケットについて、図１７を基準として説明する。ここで、インナー部材３１０とアウター部材３２０の第１部材３２０ａは、上述した実施例と同一であるので、ここでは追加説明は省略する。
【０１０９】
前記垂直支持部材５２に結合されたアウター部材３２０とアウター部材３２０に挿入されたインナー部材３１０と結合する第２部材３２０ｂは、柱４１の上端に固定され、固定部３３２、長空ネジ溝３３４及び固定板３３６を含む。
【０１１０】
先ず、前記固定部３３２は、図１７〜図１８に示すように、それぞれ平面形態で９０度角度で連結する一対で形成される。
【０１１１】
前記それぞれの固定部３３２は、少なくとも一つ以上のネジ孔３３２’が具備される。
【０１１２】
前記それぞれのネジ孔３３２’を通じてネジを挿入して柱部材５５と結合する。
【０１１３】
次に、前記固定部３３２の中央角には、少なくとも一つ以上の長空ネジ溝３３４が形成される。
【０１１４】
前記長空ネジ溝３３４は、前記固定部３３２の中央を貫通するパイプ状に形成されると共に、前記インナー部材３１０の中間面３１３に形成される少なくとも一つ以上のネジ孔３１３”に対応する位置に形成されるため、前記インナー部材３１０から挿入されるネジと結合する。
【０１１５】
次に、前記固定部３３２の上端と下端に水平方向に少なくとも一つ以上固定板３３６が形成される。
【０１１６】
前記それぞれの固定板３３６は、前記インナー部材３１０と結合する方向に突出突起３３６’がさらに含まれることができるが、前記突出突起３３６’が形成されるため、前記インナー部材３１０の第１中間面３１３の凹部３１３’の上端と下端に安着し、使用者が柱４１に結合された第２部材３２０ｂとインナー部材３１０を容易にネジ固定することができる。
【０１１７】
次に、上述したブラケットを利用した家具について説明する。以下の説明は、図１３に記載されたブラケットの形態を基準として説明する。
【０１１８】
本発明による組立て式家具は、柱部材が２個以上使用される場合に適用することができるが、以下の説明は、説明の便利性のために、柱部材が４個使用される場合を基準として説明する。
【０１１９】
本発明による組立て式家具は、図１９〜図２０に示すように、一定間隔で離隔して配置される一対の前方側柱部材５５ａと、前記前方側柱部材５５ａから一定間隔離隔すると共に、前記前方側柱部材５５ａと同一間隔で離隔して配置される後方側柱部材５５ｂと、前記前方側柱部材５５ａと後方側柱部材５５ｂとの間に配置され、固定される側面板３２と、前記後方側柱部材５５ｂ間に配置され、固定される背面板３３と、前記前方側柱部材５５ａと後方側柱部材５５ｂとによって形成された内部空間に挿入して固定される複数個の上板５１と、前記前方側柱部材５５ａと後方側柱部材５５ｂとにそれぞれ設置される複数個の内側ブラケット１０と、前記上板５１の底面に設置され、柱部材５５が挿入されるように相互離隔した状態で、一定角度で配置された垂直支持部材５２に設置され、前記内側ブラケット１０が嵌合する複数個の外側ブラケット２０とを含んでなる。
【０１２０】
前記側面板３２と背面板３３は、前記柱部材５５に形成されたガイド溝３１’に沿ってスライド結合することが好ましい。これにより、前記側面板３２と背面板３３とを前記柱部材５５に比べて薄く形成することができ、木材を節約し、製品の重量を減らすことができることは勿論、組立て時に側面板３２及び背面板３３を固定するための作業を省略することができる。
【０１２１】
そして、前記内側ブラケット１０は、柱部材５５の上下方向に沿って一定間隔をおいて複数個設置され、前記側面板３２と背面板３３とは、前記内側ブラケット１０の設置間隔に対応する高さで分割形成されることが好ましい。また、前記側面板３２と背面板３３との固定のために、最下端と最上端に位置する上板５１に設置される垂直支持部材５２には、前記側面板３２と背面板３３とが挿入される溝を形成することがさらに好ましい。
【０１２２】
参考として、ここで、上板５１は、単純な上板だけを意味するものではなく、水平方向に設置される板材を意味する。
【０１２３】
一方、上述した組立て式家具を組立てるための本発明の組立て式家具の組立て方法は、図２１に示すように、家具の角にあたる４個の柱部材５５にそれぞれ内側ブラケット１０を設置する段階と、上板５１の底面に垂直支持部材５２を設置し、前記垂直支持部材５２間に外側ブラケット２０を設置する段階と、一対の後方側柱部材５５ｂを前記内側ブラケット１０が内側に位置するように一定間隔で配置すると共に、前記後方側柱部材５５ｂから一定間隔で離隔した位置にそれぞれ前方側柱部材５５ａを前記内側ブラケット１０が内側に位置するように配置し、これらの柱部材５５によって形成された内部空間に上板５１を挿入した後、前記上板５１の外側ブラケット２０と柱部材５５の内側ブラケット１０とを結合させて前記上板５１を固定する段階と、前記後方側柱部材５５ｂ間に背面板３３をスライド結合させる段階と、前記後方側柱部材５５ｂと前方側柱部材５５ａとの間に側面板３２をスライド結合させる段階とを含んでなる。
【０１２４】
この時、前記上板５１を挿入した後、内側ブラケット１０と外側ブラケット２０とを組立てて上板５１を固定し、背面板３３及び側面板３２を結合させる過程を繰り返し行い、必要な上板５１の結合が全て完了すれば、前記柱部材５５の上端に上板５１からなる蓋を結合させて家具を完成する段階をさらに含むことができる。
【０１２５】
この時、前記蓋のような最上端の上板５１及び最下端の上板５１は、水平垂直支持部材５２に前記側面板３２と背面板３３が挿入される溝が形成されたものを使用することで、前記側面板３２と背面板３３の端部が固定されるようにすることが好ましい。
【０１２６】
上記では、インナー部材とアウター部材が別途製作され、それぞれ柱部材と垂直支持部材に結合すると記述したが、前記柱部材とインナー部材が一体で製造されてもよく、前記垂直支持部材とアウター部材が一体で製造されてもよい。例示として、プラスチック射出方法で柱部材とインナー部材を一体で製造し、垂直支持部材とアウター部材を一体で製造し、両者を結合させる方式で使用されることもできる。
【０１２７】
以上、本発明の技術的思想を例示するためのいくつかの実施例と関連して説明して図示したが、本発明は、このように説明されたそのままの構成及び作用のみに限られるものではなく、特許請求の範囲に記載された技術的思想の範疇を逸脱せず、本発明について多数の変更及び修正が可能なことを通常の技術者はよく理解できるであろう。従って、そのような全ての適切な変更及び修正と均等物も本発明の範囲に属すると見なされるべきである。
【符号の説明】
【０１２８】
１０、６０、２１０、３１０：インナー部材
２０、７０、２２０、３２０：アウター部材
２１０ａ、３１０ａ：第１部材
２０１ｂ、３１０ｂ：第２部材
５１：上板
５２：垂直支持部材
５５：四角形柱部材
５５’：逆Ｌ字状の柱部材
【図１】
2018517880.tif 000003
【図２】
2018517880.tif 000004
【図３】
2018517880.tif 000005
【図４】
2018517880.tif 000006
【図５】
2018517880.tif 000007
【図６】
2018517880.tif 000008
【図７】
2018517880.tif 000009
【図８】
2018517880.tif 000010
【図９】
2018517880.tif 000011
【図１０】
2018517880.tif 000012
【図１１】
2018517880.tif 000013
【図１２】
2018517880.tif 000014
【図１３】
2018517880.tif 000015
【図１４】
2018517880.tif 000016
【図１５】
2018517880.tif 000017
【図１６】
2018517880.tif 000018
【図１７】
2018517880.tif 000019
【図１８】
2018517880.tif 000020
【図１９】
2018517880.tif 000021
【図２０】
2018517880.tif 000022
【図２１】
2018517880.tif 000023
【国際調査報告】
2018517880.tif 000024
2018517880.tif 000025
2018517880.tif 000026
2018517880.tif 000027